(57)【要約】【課題】明るいＦ値とフォーカス群の軽量化とを両立しながら、無限端から至近端に至るまで収差が良好に補正され、画像全体で均一な画質を得ることが可能な撮像光学系，それを備えた撮像光学装置及びデジタル機器を提供する。【解決手段】撮像光学系ＬＮは、正負正負の第１〜第４レンズ群Ｇｒ１〜Ｇｒ４からなり、無限遠から至近物体へのフォーカシングにおいて、第２レンズ群Ｇｒ２が像側に移動し、第３レンズ群Ｇｒ３が物体側に移動する。第２レンズ群Ｇｒ２が物体側から順に正レンズＬ２１と負レンズＬ２２との接合レンズからなり、第３レンズ群Ｇｒ３が正レンズＬ３１からなり、条件式：ｎｄ（２ＧｒＰ）−ｎｄ（３ＧｒＰ）＞０．２，νｄ（３ＧｒＰ）−νｄ（２ＧｒＰ）＞４０を満足する。ただし、ｎｄ（２ＧｒＰ），ｎｄ（３ＧｒＰ）：正レンズＬ２１，Ｌ３１のｄ線に関する屈折率、νｄ（２ＧｒＰ），νｄ（３ＧｒＰ）：正レンズＬ２１，Ｌ３１のｄ線に関するアッベ数である。【選択図】図１
2020173366.tif 000002
【特許請求の範囲】
【請求項１】
物体側から順に、正パワーの第１レンズ群と、負パワーの第２レンズ群と、正パワーの第３レンズ群と、負パワーの第４レンズ群とからなり、
無限遠から至近物体へのフォーカシングにおいて、前記第２レンズ群が像側に移動し、前記第３レンズ群が物体側に移動し、
前記第２レンズ群が物体側から順に正レンズと負レンズとの接合レンズからなり、前記第３レンズ群が正レンズからなり、
以下の条件式（１）及び（２）を満足することを特徴とする撮像光学系；
ｎｄ（２ＧｒＰ）−ｎｄ（３ＧｒＰ）＞０．２  …（１）
νｄ（３ＧｒＰ）−νｄ（２ＧｒＰ）＞４０  …（２）
ただし、
ｎｄ（２ＧｒＰ）：第２レンズ群における正レンズのｄ線に関する屈折率、
ｎｄ（３ＧｒＰ）：第３レンズ群における正レンズのｄ線に関する屈折率、
νｄ（２ＧｒＰ）：第２レンズ群における正レンズのｄ線に関するアッベ数、
νｄ（３ＧｒＰ）：第３レンズ群における正レンズのｄ線に関するアッベ数、
である。
【請求項２】
前記接合レンズが物体側に凹面を向けた接合面を持ち、以下の条件式（３）及び（４）を満足することを特徴とする請求項１記載の撮像光学系；
０．１１＜ｎｄ（２ＧｒＰ）−ｎｄ（２ＧｒＮ）＜０．３５  …（３）
−２０＜νｄ（２ＧｒＰ）−νｄ（２ＧｒＮ）＜−５  …（４）
ただし、
ｎｄ（２ＧｒＰ）：第２レンズ群における正レンズのｄ線に関する屈折率、
ｎｄ（２ＧｒＮ）：第２レンズ群における負レンズのｄ線に関する屈折率、
νｄ（２ＧｒＰ）：第２レンズ群における正レンズのｄ線に関するアッベ数、
νｄ（２ＧｒＮ）：第２レンズ群における負レンズのｄ線に関するアッベ数、
である。
【請求項３】
以下の条件式（５）〜（７）を満足することを特徴とする請求項１又は２記載の撮像光学系；
０．８＜ＦＬ１／ＦＬ＜１．１  …（５）
−１．６＜ＦＬ２／ＦＬ３＜−０．９  …（６）
−３．６＜ＦＬ４／ＦＬ＜−１．８  …（７）
ただし、
ＦＬ１：第１レンズ群の焦点距離、
ＦＬ２：第２レンズ群の焦点距離、
ＦＬ３：第３レンズ群の焦点距離、
ＦＬ４：第４レンズ群の焦点距離、
ＦＬ：全系の焦点距離、
である。
【請求項４】
以下の条件式（８）を満足することを特徴とする請求項１〜３のいずれか１項に記載の撮像光学系；
−１．０＜Ｄ２Ｇｒ／Ｄ３Ｇｒ＜−０．４５  …（８）
ただし、
Ｄ２Ｇｒ：無限遠から至近物体までのフォーカシングにおける第２レンズ群の移動量、
Ｄ３Ｇｒ：無限遠から至近物体までのフォーカシングにおける第３レンズ群の移動量、
であり、移動方向が像側のときの移動量を正とする。
【請求項５】
前記第４レンズ群が、物体側から順に正レンズと負レンズからなる接合レンズを続けて２つ有し、前記２つの接合レンズのうち、物体側の接合レンズが負のパワーを有し、像側の接合レンズが正のパワーを有し、以下の条件式（９）を満足することを特徴とする請求項１〜４のいずれか１項に記載の撮像光学系；
−２．２＜ＦＬ（４ＧｒＰＮ１）／ＦＬ（４ＧｒＰＮ２）＜−１．４  …（９）
ただし、
ＦＬ（４ＧｒＰＮ１）：第４レンズ群における物体側の接合レンズの焦点距離、
ＦＬ（４ＧｒＰＮ２）：第４レンズ群における像側の接合レンズの焦点距離、
である。
【請求項６】
前記第４レンズ群において最も像側に位置するレンズが負パワーを有することを特徴とする請求項１〜５のいずれか１項に記載の撮像光学系。
【請求項７】
前記第２レンズ群と前記第３レンズ群との間に、フォーカシングにおいて位置固定の絞りが配置されていることを特徴とする請求項１〜６のいずれか１項に記載の撮像光学系。
【請求項８】
前記第１レンズ群が物体側から順に少なくとも３枚の連続した正レンズを有し、そのうちの１枚以上の正レンズが以下の条件式（１０）を満足することを特徴とする請求項１〜７のいずれか１項に記載の撮像光学系；
νｄ（１ＧｒＰ）＞６０  …（１０）
ただし、
νｄ（１ＧｒＰ）：第１レンズ群における正レンズのｄ線に関するアッベ数、
である。
【請求項９】
請求項１〜８のいずれか１項に記載の撮像光学系と、撮像面上に形成された光学像を電気的な信号に変換する撮像素子と、を備え、前記撮像素子の撮像面上に被写体の光学像が形成されるように前記撮像光学系が設けられていることを特徴とする撮像光学装置。
【請求項１０】
請求項９記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像光学系，撮像光学装置及びデジタル機器に関するものであり、例えば、レンズ交換式デジタルカメラ用の大口径中望遠レンズとして最適な撮像光学系と、その撮像光学系で取り込んだ被写体の映像を撮像素子で電気的な信号として出力する撮像光学装置と、その撮像光学装置を搭載したデジタルカメラ等の画像入力機能付きデジタル機器と、に関するものである。
【背景技術】
【０００２】
近年、レンズ交換式カメラとしてデジタルカメラが一般的になっている。デジタルカメラでは、ユーザーがモニターで等倍の撮影画像を見ることが可能であるため、撮像光学系には結像性能の向上がより一層求められるようになってきている。また、一眼レフカメラから跳ね上げミラーを取り除いたミラーレスレンズ交換式カメラのなかには、従来の一眼レフカメラにおいて主流であった位相差ＡＦ(autofocus)を用いることができないものも存在する。そのようなカメラの多くには、フォーカス群を走査してコントラストが最大になる場所を探すことでフォーカシングを行う、いわゆるコントラストＡＦが用いられている。
【０００３】
位相差ＡＦの場合、ＡＦセンサーからの情報を用いて、合焦させるのに必要なフォーカス群の移動量を算出できるため、その量にしたがってフォーカス群を移動させることができる。一方、コントラストＡＦの場合、ＡＦセンサーから得られる情報はその瞬間のコントラスト値のみであり、フォーカス群を移動させて、その時々のコントラストの変化を読み取りながら、コントラストが最大となる場所を探すことでフォーカス動作を行うことになる。したがって、合焦に至るまでのフォーカス群の移動量は、コントラストＡＦと位相差ＡＦとで比較した場合、前者の場合が圧倒的に大きくなる。
【０００４】
例えば、特許文献１〜３で提案されているような大口径（Ｆ値：２以下）で中望遠（フルサイズで焦点距離：７０〜１３５ｍｍ程度）の撮像光学系において、コントラストＡＦに対応しようとすれば、フォーカス群の大きな移動量をカバーするために、ＡＦを高速化することが必要になる。しかし、アクチュエーターの速度アップは製品サイズの大型化を招き、フォーカス敏感度のアップはフォーカス精度の低下を招くため、いずれの場合もＡＦの高速化には限界がある。そこで、ポイントとなるのがフォーカス群の軽量化である。
【０００５】
フォーカス群の軽量化には、レンズ枚数の削減が有効である。しかし、フォーカス群のレンズ枚数を削減すると、フォーカス時の収差変動を十分に補正することが困難になる。特に色収差の変動は焦点距離に比例して大きくなるため、中望遠の撮像光学系で良好な結像性能を得ることは困難である。したがって、ＡＦを高速化するためのフォーカス群の軽量化と、無限端から至近端に至るまでの結像性能の向上と、を両立させることが、撮像光学系には必要になる。
【先行技術文献】
【特許文献】
【０００６】
【特許文献１】特開２０１７−１７３４０９号公報
【特許文献２】特開２０１５−９６９１５号公報
【特許文献３】特開２０１４−１４２６０１号公報
【発明の概要】
【発明が解決しようとする課題】
【０００７】
特許文献１で提案されている撮像光学系では、フォーカス時の結像性能を確保するために、フォーカス群のレンズ枚数が多くなっている。したがって、フォーカス群は軽量化されておらず、ＡＦを高速化することはできない。特許文献２で提案されている撮像光学系では、第２レンズ群を構成する負レンズ１枚でフォーカスする構成になっている。そのため、フォーカス時に発生する収差変動が大きくなっている。特許文献３には、第２レンズ群を構成する負レンズ１枚と、第３レンズ群を構成する正レンズ１枚と、でフォーカスする撮像光学系が提案されているが、第２，第３レンズ群のそれぞれでフォーカス時に発生する収差変動が大きくなってしまう。
【０００８】
本発明はこのような状況に鑑みてなされたものであって、その目的は、明るいＦ値とフォーカス群の軽量化とを両立しながら、無限端から至近端に至るまで収差が良好に補正され、画像全体で均一な画質を得ることが可能な撮像光学系，それを備えた撮像光学装置及びデジタル機器を提供することにある。
【課題を解決するための手段】
【０００９】
上記目的を達成するために、第１の発明の撮像光学系は、物体側から順に、正パワーの第１レンズ群と、負パワーの第２レンズ群と、正パワーの第３レンズ群と、負パワーの第４レンズ群とからなり、
無限遠から至近物体へのフォーカシングにおいて、前記第２レンズ群が像側に移動し、前記第３レンズ群が物体側に移動し、
前記第２レンズ群が物体側から順に正レンズと負レンズとの接合レンズからなり、前記第３レンズ群が正レンズからなり、
以下の条件式（１）及び（２）を満足することを特徴とする。
ｎｄ（２ＧｒＰ）−ｎｄ（３ＧｒＰ）＞０．２  …（１）
νｄ（３ＧｒＰ）−νｄ（２ＧｒＰ）＞４０  …（２）
ただし、
ｎｄ（２ＧｒＰ）：第２レンズ群における正レンズのｄ線に関する屈折率、
ｎｄ（３ＧｒＰ）：第３レンズ群における正レンズのｄ線に関する屈折率、
νｄ（２ＧｒＰ）：第２レンズ群における正レンズのｄ線に関するアッベ数、
νｄ（３ＧｒＰ）：第３レンズ群における正レンズのｄ線に関するアッベ数、
である。
【００１０】
第２の発明の撮像光学系は、上記第１の発明において、前記接合レンズが物体側に凹面を向けた接合面を持ち、以下の条件式（３）及び（４）を満足することを特徴とする。
０．１１＜ｎｄ（２ＧｒＰ）−ｎｄ（２ＧｒＮ）＜０．３５  …（３）
−２０＜νｄ（２ＧｒＰ）−νｄ（２ＧｒＮ）＜−５  …（４）
ただし、
ｎｄ（２ＧｒＰ）：第２レンズ群における正レンズのｄ線に関する屈折率、
ｎｄ（２ＧｒＮ）：第２レンズ群における負レンズのｄ線に関する屈折率、
νｄ（２ＧｒＰ）：第２レンズ群における正レンズのｄ線に関するアッベ数、
νｄ（２ＧｒＮ）：第２レンズ群における負レンズのｄ線に関するアッベ数、
である。
【００１１】
第３の発明の撮像光学系は、上記第１又は第２の発明において、以下の条件式（５）〜（７）を満足することを特徴とする。
０．８＜ＦＬ１／ＦＬ＜１．１  …（５）
−１．６＜ＦＬ２／ＦＬ３＜−０．９  …（６）
−３．６＜ＦＬ４／ＦＬ＜−１．８  …（７）
ただし、
ＦＬ１：第１レンズ群の焦点距離、
ＦＬ２：第２レンズ群の焦点距離、
ＦＬ３：第３レンズ群の焦点距離、
ＦＬ４：第４レンズ群の焦点距離、
ＦＬ：全系の焦点距離、
である。
【００１２】
第４の発明の撮像光学系は、上記第１〜第３のいずれか１つの発明において、以下の条件式（８）を満足することを特徴とする。
−１．０＜Ｄ２Ｇｒ／Ｄ３Ｇｒ＜−０．４５  …（８）
ただし、
Ｄ２Ｇｒ：無限遠から至近物体までのフォーカシングにおける第２レンズ群の移動量、
Ｄ３Ｇｒ：無限遠から至近物体までのフォーカシングにおける第３レンズ群の移動量、
であり、移動方向が像側のときの移動量を正とする。
【００１３】
第５の発明の撮像光学系は、上記第１〜第４のいずれか１つの発明において、前記第４レンズ群が、物体側から順に正レンズと負レンズからなる接合レンズを続けて２つ有し、前記２つの接合レンズのうち、物体側の接合レンズが負のパワーを有し、像側の接合レンズが正のパワーを有し、以下の条件式（９）を満足することを特徴とする。
−２．２＜ＦＬ（４ＧｒＰＮ１）／ＦＬ（４ＧｒＰＮ２）＜−１．４  …（９）
ただし、
ＦＬ（４ＧｒＰＮ１）：第４レンズ群における物体側の接合レンズの焦点距離、
ＦＬ（４ＧｒＰＮ２）：第４レンズ群における像側の接合レンズの焦点距離、
である。
【００１４】
第６の発明の撮像光学系は、上記第１〜第５のいずれか１つの発明において、前記第４レンズ群において最も像側に位置するレンズが負パワーを有することを特徴とする。
【００１５】
第７の発明の撮像光学系は、上記第１〜第６のいずれか１つの発明において、前記第２レンズ群と前記第３レンズ群との間に、フォーカシングにおいて位置固定の絞りが配置されていることを特徴とする。
【００１６】
第８の発明の撮像光学系は、上記第１〜第７のいずれか１つの発明において、前記第１レンズ群が物体側から順に少なくとも３枚の連続した正レンズを有し、そのうちの１枚以上の正レンズが以下の条件式（１０）を満足することを特徴とする。
νｄ（１ＧｒＰ）＞６０  …（１０）
ただし、
νｄ（１ＧｒＰ）：第１レンズ群における正レンズのｄ線に関するアッベ数、
である。
【００１７】
第９の発明の撮像光学装置は、上記第１〜第８のいずれか１つの発明に係る撮像光学系と、撮像面上に形成された光学像を電気的な信号に変換する撮像素子と、を備え、前記撮像素子の撮像面上に被写体の光学像が形成されるように前記撮像光学系が設けられていることを特徴とする。
【００１８】
第１０の発明のデジタル機器は、上記第９の発明に係る撮像光学装置を備えることにより、被写体の静止画撮影，動画撮影のうちの少なくとも一方の機能が付加されたことを特徴とする。
【発明の効果】
【００１９】
本発明によれば、明るいＦ値とフォーカス群の軽量化とを両立しながら、無限端から至近端に至るまで収差が良好に補正され、画像全体で均一な画質を得ることが可能な撮像光学系及び撮像光学装置を実現することができる。その撮像光学系又は撮像光学装置をデジタル機器（例えばデジタルカメラ）に用いることによって、デジタル機器に対して高性能の画像入力機能をコンパクトに付加することが可能となる。
【図面の簡単な説明】
【００２０】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】実施例１の縦収差図。
【図６】実施例２の縦収差図。
【図７】実施例３の縦収差図。
【図８】実施例４の縦収差図。
【図９】実施例１の第１フォーカスポジションでの横収差図。
【図１０】実施例１の第２フォーカスポジションでの横収差図。
【図１１】実施例２の第１フォーカスポジションでの横収差図。
【図１２】実施例２の第２フォーカスポジションでの横収差図。
【図１３】実施例３の第１フォーカスポジションでの横収差図。
【図１４】実施例３の第２フォーカスポジションでの横収差図。
【図１５】実施例４の第１フォーカスポジションでの横収差図。
【図１６】実施例４の第２フォーカスポジションでの横収差図。
【図１７】撮像光学装置を搭載したデジタル機器の概略構成例を示す模式図。
【発明を実施するための形態】
【００２１】
以下、本発明の実施の形態に係る撮像光学系，撮像光学装置及びデジタル機器を説明する。本発明の実施の形態に係る撮像光学系は、物体側から順に、正パワーの第１レンズ群と、負パワーの第２レンズ群と、正パワーの第３レンズ群と、負パワーの第４レンズ群とからなり（パワー：焦点距離の逆数で定義される量）、無限遠から至近物体へのフォーカシングにおいて、前記第２レンズ群が像側に移動し、前記第３レンズ群が物体側に移動する構成になっている。
【００２２】
また、前記第２レンズ群が物体側から順に正レンズと負レンズとの接合レンズからなり、前記第３レンズ群が正レンズからなり、以下の条件式（１）及び（２）を満足することを特徴としている。
ｎｄ（２ＧｒＰ）−ｎｄ（３ＧｒＰ）＞０．２  …（１）
νｄ（３ＧｒＰ）−νｄ（２ＧｒＰ）＞４０  …（２）
ただし、
ｎｄ（２ＧｒＰ）：第２レンズ群における正レンズのｄ線に関する屈折率、
ｎｄ（３ＧｒＰ）：第３レンズ群における正レンズのｄ線に関する屈折率、
νｄ（２ＧｒＰ）：第２レンズ群における正レンズのｄ線に関するアッベ数、
νｄ（３ＧｒＰ）：第３レンズ群における正レンズのｄ線に関するアッベ数、
である。
【００２３】
焦点距離の比較的長い中望遠レンズの全長・レンズ径を抑えることの可能なテレフォトタイプにおいて、その効果を得るためには、先行する正パワーのレンズ群で軸上光束径を集光させる必要がある。また、強い正のパワーで収束された光線を広げ、正パワーのレンズ群で発生した大きな正の歪曲収差を補正するために、正パワーのレンズ群に続いて負パワーのレンズ群を配置する必要がある。
【００２４】
上記のように作用する正負正負のパワー配置において、負パワーの第２レンズ群の像側への移動と正パワーの第３レンズ群の物体側への移動とによりフォーカシングを行うようにすると、フォーカス時に発生する球面収差，像面湾曲等の諸収差を、第２レンズ群と第３レンズ群とで打ち消し合うようにすることができる。また、フォーカスの作用を第２レンズ群と第３レンズ群とで分担することにより、各レンズ群を構成するレンズ枚数の増大を抑えながら、フォーカス時の収差変動を抑制することが可能になる。したがって、少ないレンズ枚数でフォーカス群を軽量化しつつ、無限遠から至近物体にいたるまで良好な光学性能を得ることが可能となる。特に大口径中望遠レンズにおいては、フォーカス群の軽量化の効果が顕著になるため、結像性能の向上との両立を図るうえで有利である。
【００２５】
第２レンズ群を正負の接合レンズで構成することにより、球面収差等の諸収差を効果的に制御することが可能になり、さらに第３レンズ群を正レンズで構成することにより、フォーカス群の光軸方向と径方向のサイズを抑えることが可能になる。そして、フォーカス群の正レンズが条件式（１）及び（２）を満たすようにすると、第２レンズ群の正レンズにも高分散のガラスが配置されることになって、第３レンズ群との間で色収差を補正するのに有利な構成となる。したがって、フォーカス群の枚数削減に伴う性能低下を抑えて、良好な光学性能を得ることが可能になる。
【００２６】
上記特徴的構成によると、明るいＦ値とフォーカス群の軽量化とを両立しながら、無限端から至近端に至るまで収差が良好に補正され、画像全体で均一な画質を得ることが可能な撮像光学系及びそれを備えた撮像光学装置を実現することができる。その撮像光学系又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、上記特徴的構成を有する撮像光学系は、デジタルカメラ用・ビデオカメラ用の大口径中望遠レンズとして好適であるため、持ち運びに便利な軽量・小型で高性能な交換レンズを実現することができる。こういった効果をバランス良く得るとともに、更に高い光学性能，軽量・小型化等を達成するための条件等を以下に説明する。
【００２７】
前記接合レンズが物体側に凹面を向けた接合面を持ち、以下の条件式（３）及び（４）を満足することが望ましい。
０．１１＜ｎｄ（２ＧｒＰ）−ｎｄ（２ＧｒＮ）＜０．３５  …（３）
−２０＜νｄ（２ＧｒＰ）−νｄ（２ＧｒＮ）＜−５  …（４）
ただし、
ｎｄ（２ＧｒＰ）：第２レンズ群における正レンズのｄ線に関する屈折率、
ｎｄ（２ＧｒＮ）：第２レンズ群における負レンズのｄ線に関する屈折率、
νｄ（２ＧｒＰ）：第２レンズ群における正レンズのｄ線に関するアッベ数、
νｄ（２ＧｒＮ）：第２レンズ群における負レンズのｄ線に関するアッベ数、
である。
【００２８】
第２レンズ群を構成する接合レンズが物体側に凹面を向けた接合面を持つことにより、他の収差への影響を抑えながらコマ収差をコントロールすることが可能になるため、残存コマ収差の調整が容易になる。条件式（３）を満足することにより、第２レンズ群で効果的にコマ収差の補正を行うことができる。また、条件式（４）を満足することにより、第２レンズ群に起因する軸上色収差の発生が抑えられるため、フォーカス領域全体にわたって色収差の発生を抑えることができる。
【００２９】
各レンズ群のパワー配置に関しては、以下の条件式（５）〜（７）を満足することが望ましい。
０．８＜ＦＬ１／ＦＬ＜１．１  …（５）
−１．６＜ＦＬ２／ＦＬ３＜−０．９  …（６）
−３．６＜ＦＬ４／ＦＬ＜−１．８  …（７）
ただし、
ＦＬ１：第１レンズ群の焦点距離、
ＦＬ２：第２レンズ群の焦点距離、
ＦＬ３：第３レンズ群の焦点距離、
ＦＬ４：第４レンズ群の焦点距離、
ＦＬ：全系の焦点距離、
である。
【００３０】
条件式（５）は、第１レンズ群のパワーを規定するものである。条件式（５）の下限を上回ることで、第１レンズ群の正のパワーが強くなりすぎないようにし、第１レンズ群の後側焦点位置を第２レンズ群に近づけることができる。このため、フォーカス時の第２レンズ群の駆動量を抑えることができ、フォーカスに伴う球面収差変動を抑えることができる。条件式（５）の上限を下回ることで、第１レンズ群の正のパワーが弱くなりすぎないようにし、全長の拡大を防ぐとともに、第１レンズ群に入射した光束を緩やかに屈折させて、コマ収差等の諸収差を抑えることができる。
【００３１】
条件式（６）は、第２レンズ群と第３レンズ群とのパワー比を規定するものである。条件式（６）の下限を上回ることで、第２レンズ群の移動量の増大を防ぎ、フォーカスに伴う像面湾曲変動を抑えることができる。条件式（６）の上限を下回ることで、第２レンズ群のフォーカス敏感度を抑えつつ、フォーカス時の収差変動を効果的に抑えることができる。
【００３２】
条件式（７）は、第４レンズ群のパワーを規定するものである。条件式（７）の下限を上回ることで、第４レンズ群の負のパワーが弱くなりすぎないようにし、フォーカス群の光線通過径を抑えつつ、全長の拡大を防ぐことができる。条件式（７）の上限を下回ることで、第４レンズ群の負のパワーが強くなりすぎないようにし、第４レンズ群に入射した光束を緩やかに屈折させて、コマ収差等の諸収差を抑えることができる。
【００３３】
フォーカス群の移動量比に関しては、以下の条件式（８）を満足することが望ましい。
−１．０＜Ｄ２Ｇｒ／Ｄ３Ｇｒ＜−０．４５  …（８）
ただし、
Ｄ２Ｇｒ：無限遠から至近物体までのフォーカシングにおける第２レンズ群の移動量、
Ｄ３Ｇｒ：無限遠から至近物体までのフォーカシングにおける第３レンズ群の移動量、
であり、移動方向が像側のときの移動量を正とする。
【００３４】
条件式（８）は、第２レンズ群と第３レンズ群のフォーカス移動量の比を規定するものである。条件式（８）の下限を上回ることで、第３レンズ群の移動量に対して第２レンズ群の移動量が大きくなりすぎないように規制され、第２レンズ群と第３レンズ群の同時駆動による収差変動（例えば、像面湾曲，球面収差等の変動）の抑制効果が高くなる。条件式（８）の上限を下回ることで、第２レンズ群の敏感度の増大を防ぎ、フォーカス時の像面湾曲変動を抑えることができる。
【００３５】
前記第４レンズ群が、物体側から順に正レンズと負レンズからなる接合レンズを続けて２つ有することが望ましい。第４レンズ群が物体側から順に正・負の接合レンズを続けて２つ有することにより、そのレンズ配置が正負正負の順になるため、色収差の発生を抑えつつ像面湾曲の補正も行うことが可能となる。そして、前記２つの接合レンズのうち、少なくとも一方の接合レンズが物体側に凹面を向けた接合面を持つことが望ましい。物体側に凹の接合面を持つことにより、他の収差への影響を抑えながら球面収差をコントロールすることが可能になって、残存球面収差の調整が容易になる。また、前記２つの接合レンズのうち、物体側の接合レンズが負のパワーを有し、像側の接合レンズが正のパワーを有することが、コマ収差等の発生を抑えるうえで更に望ましい。
【００３６】
前記第４レンズ群が、物体側から順に正レンズと負レンズからなる接合レンズを続けて２つ有し、前記２つの接合レンズのうち、物体側の接合レンズが負のパワーを有し、像側の接合レンズが正のパワーを有し、以下の条件式（９）を満足することが望ましい。
−２．２＜ＦＬ（４ＧｒＰＮ１）／ＦＬ（４ＧｒＰＮ２）＜−１．４  …（９）
ただし、
ＦＬ（４ＧｒＰＮ１）：第４レンズ群における物体側の接合レンズの焦点距離、
ＦＬ（４ＧｒＰＮ２）：第４レンズ群における像側の接合レンズの焦点距離、
である。
【００３７】
条件式（９）は、第４レンズ群における物体側の接合レンズと像側の接合レンズとのパワー比を規定するものである。条件式（９）の上限を下回ることで、物体側の接合レンズの負のパワーが強くなりすぎないようにし、２つの接合レンズの間で光線を緩やかに屈折させて、コマ収差等の発生を抑えることができる。条件式（９）の下限を上回ることで、像側の接合レンズの正のパワーが強くなりすぎないようにし、像側の接合レンズとそれに続くレンズとの間で光線を緩やかに屈折させて、コマ収差等の発生を抑えることができる。
【００３８】
前記第４レンズ群において最も像側に位置するレンズが負パワーを有することが望ましい。最終レンズが負のパワーを持つことにより、第４レンズ群内では光束径を細くし、撮像面に対しては光線を大きく跳ね上げて入射させることができるため、第４レンズ群内の有効径を効果的に抑えることができる。
【００３９】
前記第２レンズ群と前記第３レンズ群との間に、フォーカシングにおいて位置固定の絞りが配置されていることが望ましい。第２レンズ群と第３レンズ群との間に絞りを配置すると、第２レンズ群と第３レンズ群の有効径の増大が抑えられるため、第２レンズ群と第３レンズ群の軽量化が可能となって、フォーカススピードの増加につながる。また、絞りを挟んで正負逆のパワーを持つレンズ群が向かい合って配置されることにより、コマ収差の低減にも有利な構成となる。
【００４０】
前記第１レンズ群が物体側から順に少なくとも３枚の連続した正レンズを有し、そのうちの１枚以上の正レンズが以下の条件式（１０）を満足することが望ましい。
νｄ（１ＧｒＰ）＞６０  …（１０）
ただし、
νｄ（１ＧｒＰ）：第１レンズ群における正レンズのｄ線に関するアッベ数、
である。
【００４１】
第１レンズ群において物体側から少なくとも３枚の正レンズを連続して配置し、そのうちの１枚以上が条件式（１０）を満足する構成にすれば、望遠レンズで問題となりやすい色収差を効果的に補正しつつ、第１レンズ群に入射した光束を緩やかに屈折して、コマ収差等の発生を低減することができる。条件式（１０）を満足する正レンズを物体側から２枚目以降に配置すれば、色収差補正効果の高いレンズの傷付き防止も可能となる。条件式（１０）を満たした正レンズを物体側から３枚目に配置し、その正レンズの像側に負レンズを接合すれば、その接合面で収差の発生を効果的に抑えることが可能になる。
【００４２】
以上説明した撮像光学系は、画像入力機能付きデジタル機器（例えば、レンズ交換式デジタルカメラ）用の撮像光学系としての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像光学系と、その撮像光学系により形成された光学像を電気的な信号に変換する撮像素子（イメージセンサー）と、を備えることにより構成される。そして、撮像素子の受光面（すなわち撮像面）上に被写体の光学像が形成されるように、前述した特徴的構成を有する撮像光学系が配置されることにより、小型・低コストで高い性能を有する撮像光学装置やそれを備えたデジタル機器を実現することができる。
【００４３】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話やスマートフォン等の画像入力機能付きデジタル機器を構成することが可能である。
【００４４】
図１７に、画像入力機能付きデジタル機器の一例として、デジタル機器ＤＵの概略構成例を模式的断面で示す。図１７に示すデジタル機器ＤＵに搭載されている撮像光学装置ＬＵは、物体（すなわち被写体）側から順に、物体の光学像（像面）ＩＭを形成する撮像光学系ＬＮ（ＡＸ：光軸）と、撮像光学系ＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。
【００４５】
この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して回動可能に構成してもよく、ユニット化した撮像光学装置ＬＵをイメージセンサー付き交換レンズとして、デジタル機器ＤＵ（つまり、レンズ交換式カメラ）の本体に対して着脱可能に構成してもよい。
【００４６】
撮像光学系ＬＮは、正負正負の４群で構成された単焦点レンズであり、第１レンズ群及び第４レンズ群の位置を固定した状態（つまり、像面ＩＭに対して位置固定した状態）で負パワーの第２レンズ群と正パワーの第３レンズ群を光軸ＡＸに沿って移動させることによりフォーカシングを行い、撮像素子ＳＲの受光面ＳＳ上に光学像ＩＭを形成する構成になっている。撮像素子ＳＲとしては、例えば複数の画素を有するＣＣＤ(Charge Coupled Device)型イメージセンサー，ＣＭＯＳ(Complementary Metal-Oxide Semiconductor)型イメージセンサー等の固体撮像素子が用いられる。撮像光学系ＬＮは、撮像素子ＳＲの光電変換部である受光面ＳＳ上に被写体の光学像ＩＭが形成されるように設けられているので、撮像光学系ＬＮによって形成された光学像ＩＭは、撮像素子ＳＲによって電気的な信号に変換される。
【００４７】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４８】
次に、撮像光学系ＬＮの第１〜第４の実施の形態を挙げて、その具体的な光学構成を更に詳しく説明する。図１〜図４は、第１〜第４の実施の形態を構成する撮像光学系ＬＮにそれぞれ対応するレンズ構成図であり、無限遠物体距離状態におけるレンズ配置を光学断面で示している。なお、撮像光学系ＬＮと像面ＩＭとの間には平行平面板ＰＴが配置されており、この平行平面板ＰＴは、撮像素子ＳＲのカバーガラスとモアレ防止用のローパスフィルターとのトータルの光学厚みに等価なガラス平板である。
【００４９】
第１〜第４の実施の形態は、物体側から順に、正パワーの第１レンズ群Ｇｒ１と、負パワーの第２レンズ群Ｇｒ２と、正パワーの第３レンズ群Ｇｒ３と、負パワーの第４レンズ群Ｇｒ４と、からなる正負正負の４群構成になっており、コンパクトで大口径・中望遠の単焦点交換レンズとして好適な構成になっている。図１〜図４において、レンズＬ１＃（＃＝１，２，３，４）は第１レンズ群Ｇｒ１において物体側から＃番目のレンズであり、レンズＬ２＃（＃＝１，２）は第２レンズ群Ｇｒ２において物体側から＃番目のレンズであり、レンズＬ３１は第３レンズ群Ｇｒ３を構成する１枚のレンズであり、レンズＬ４＃（＃＝１，２，…，５）は第４レンズ群Ｇｒ４において物体側から＃番目のレンズである。
【００５０】
第１〜第４の実施の形態では、第１フォーカスポジションＰＯＳ１（無限端：無限遠物体距離状態）から第２フォーカスポジションＰＯＳ２（至近端：至近物体距離状態）へのフォーカシングにおいて、第１レンズ群Ｇｒ１及び第４レンズ群Ｇｒ４が像面ＩＭに対して位置固定であり、フォーカス群である第２レンズ群Ｇｒ２と第３レンズ群Ｇｒ３が光軸ＡＸに沿って移動する。つまり、無限遠から至近物体へのフォーカシングにおいて、第２レンズ群Ｇｒ２と第３レンズ群Ｇｒ３との間隔が狭まるように、第２レンズ群Ｇｒ２は像側に移動し、第３レンズ群Ｇｒ３は物体側に移動する。
【００５１】
矢印ｍ１，ｍ２，ｍｓ，ｍ３，ｍ４は、第１レンズ群Ｇｒ１，第２レンズ群Ｇｒ２，絞り（開口絞り）ＳＴ，第３レンズ群Ｇｒ３，第４レンズ群Ｇｒ４のフォーカス移動の軌跡をそれぞれ示している。ただし、第１レンズ群Ｇｒ１及び第４レンズ群Ｇｒ４と、第２レンズ群Ｇｒ２と第３レンズ群Ｇｒ３との間に配置されている絞りＳＴと、撮像光学系ＬＮの像面ＩＭ側に配置されている平行平面板ＰＴは、フォーカス位置固定である。
【００５２】
第１〜第４の実施の形態では、上記のように、無限端から至近端へのフォーカシングにおいて、第２レンズ群Ｇｒ２が像側へ移動するのに対し、第３レンズ群Ｇｒ３は物体側へ移動する。このように第２レンズ群Ｇｒ２と第３レンズ群Ｇｒ３のフォーカス移動方向を逆にして、第２レンズ群Ｇｒ２と第３レンズ群Ｇｒ３との間隔が狭まるようにすると、フォーカス時の球面収差，像面湾曲等の諸収差の変動を、第２レンズ群Ｇｒ２と第３レンズ群Ｇｒ３とで有利に打ち消し合うようにすることができる。したがって、フォーカス時の収差劣化をより効果的に補正することができ、至近端ＰＯＳ２での画質をより一層改善することが可能となる。
【００５３】
第１の実施の形態の撮像光学系ＬＮ（図１）は、正負正負の４群構成になっており、各レンズ群は以下のように構成されている。第１レンズ群Ｇｒ１は、物体側から順に、物体側に凸の正メニスカスレンズＬ１１と、物体側に凸の正メニスカスレンズＬ１２と、両凸の正レンズＬ１３及び両凹の負レンズＬ１４からなる接合レンズと、で構成されている。第２レンズ群Ｇｒ２は、物体側から順に、両凸の正レンズＬ２１及び両凹の負レンズＬ２２からなる接合レンズで構成されている。第３レンズ群Ｇｒ３は、両凸の正レンズＬ３１（両面が非球面）で構成されている。第４レンズ群Ｇｒ４は、物体側から順に、両凸の正レンズＬ４１及び両凹の負レンズＬ４２からなる接合レンズと、両凸の正レンズＬ４３及び平凹の負レンズＬ４４からなる接合レンズと、両凹の負レンズＬ４５と、で構成されている。
【００５４】
第２の実施の形態の撮像光学系ＬＮ（図２）は、正負正負の４群構成になっており、各レンズ群は以下のように構成されている。第１レンズ群Ｇｒ１は、物体側から順に、両凸の正レンズＬ１１と、物体側に凸の正メニスカスレンズＬ１２と、両凸の正レンズＬ１３及び両凹の負レンズＬ１４からなる接合レンズと、で構成されている。第２レンズ群Ｇｒ２は、物体側から順に、両凸の正レンズＬ２１及び両凹の負レンズＬ２２からなる接合レンズで構成されている。第３レンズ群Ｇｒ３は、両凸の正レンズＬ３１で構成されている。第４レンズ群Ｇｒ４は、物体側から順に、像側に凸の正メニスカスレンズＬ４１及び両凹の負レンズＬ４２からなる接合レンズと、両凸の正レンズＬ４３及び物体側に凹の負メニスカスレンズＬ４４からなる接合レンズと、物体側に凹の負メニスカスレンズＬ４５と、で構成されている。
【００５５】
第３の実施の形態の撮像光学系ＬＮ（図３）は、正負正負の４群構成になっており、各レンズ群は以下のように構成されている。第１レンズ群Ｇｒ１は、物体側から順に、両凸の正レンズＬ１１と、物体側に凸の正メニスカスレンズＬ１２と、両凸の正レンズＬ１３及び両凹の負レンズＬ１４からなる接合レンズと、で構成されている。第２レンズ群Ｇｒ２は、物体側から順に、両凸の正レンズＬ２１及び両凹の負レンズＬ２２からなる接合レンズで構成されている。第３レンズ群Ｇｒ３は、両凸の正レンズＬ３１で構成されている。第４レンズ群Ｇｒ４は、物体側から順に、平凸の正レンズＬ４１及び平凹の負レンズＬ４２からなる接合レンズと、両凸の正レンズＬ４３及び両凹の負レンズＬ４４からなる接合レンズと、物体側に凹の負メニスカスレンズＬ４５と、で構成されている。
【００５６】
第４の実施の形態の撮像光学系ＬＮ（図４）は、正負正負の４群構成になっており、各レンズ群は以下のように構成されている。第１レンズ群Ｇｒ１は、物体側から順に、両凸の正レンズＬ１１と、物体側に凸の正メニスカスレンズＬ１２と、両凸の正レンズＬ１３及び両凹の負レンズＬ１４からなる接合レンズと、で構成されている。第２レンズ群Ｇｒ２は、物体側から順に、両凸の正レンズＬ２１及び両凹の負レンズＬ２２からなる接合レンズで構成されている。第３レンズ群Ｇｒ３は、両凸の正レンズＬ３１で構成されている。第４レンズ群Ｇｒ４は、物体側から順に、両凸の正レンズＬ４１及び両凹の負レンズＬ４２からなる接合レンズと、両凸の正レンズＬ４３及び両凹の負レンズＬ４４からなる接合レンズと、物体側に凹の負メニスカスレンズＬ４５と、で構成されている。
【実施例】
【００５７】
以下、本発明を実施した撮像光学系の構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表すレンズ構成図（図１〜図４）は、対応する実施例１〜４の光学構成をそれぞれ示している。
【００５８】
各実施例のコンストラクションデータでは、面データとして、左側の欄から順に、面番号ｉ（ＯＢ：物面，ＳＴ：絞り，ＩＭ：像面），近軸における曲率半径ｒｉ（ｍｍ），軸上面間隔（芯厚）ｄｉ（ｍｍ），ｄ線（波長：５８７．５６ｎｍ）に関する屈折率ｎｄ，及びｄ線に関するアッベ数νｄを示す。
【００５９】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒｉの逆数）、
Ｋ：円錐定数、
Ａｊ：ｊ次の非球面係数、
である。
【００６０】
各種データとして、全系の焦点距離ＦＬ（ｍｍ），Ｆナンバー（ＦＮＯ），全画角２ω（°），レンズ全長ＴＬ（撮像光学系ＬＮの最も物体側の面から像面ＩＭまでの距離（空気換算なし），ｍｍ），バックフォーカスｂｆ（平行平面板ＰＴの像側面から像面ＩＭまでの距離，ｍｍ）を示す。さらに、フォーカシングにより変化する可変パラメーターとして可変軸上面間隔ｄｉを、第１フォーカスポジションＰＯＳ１（無限遠物体距離状態），第２フォーカスポジションＰＯＳ２（至近物体距離状態）のそれぞれについて示す。ここで、物体距離は物面ＯＢから像面ＩＭまでの距離であり、各実施例での至近物体距離は０．８ｍ（ＰＯＳ２）である。また、第１フォーカスポジションＰＯＳ１から第２フォーカスポジションＰＯＳ２へフォーカス移動する際の第２レンズ群Ｇｒ２の移動量Ｄ２Ｇｒと第３レンズ群Ｇｒ３の移動量Ｄ３Ｇｒを示し、表１に各実施例の条件式対応値を示し、表２に条件式の関連データを示す。
【００６１】
図５〜図８は、実施例１〜実施例４（ＥＸ１〜ＥＸ４）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図５〜図８中、（Ａ）と（Ｄ）は球面収差図、（Ｂ）と（Ｅ）は非点収差図、（Ｃ）と（Ｆ）は歪曲収差図である。
【００６２】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、それぞれ近軸像面からの光軸ＡＸ方向のズレ量（ｍｍ）で表しており、縦軸は像高（ＩＭＧ  ＨＴ，ｍｍ）を表している。歪曲収差図において、横軸はｄ線に対する歪曲（％）を表しており、縦軸は像高（ＩＭＧ  ＨＴ，ｍｍ）を表している。なお、像高ＩＭＧ  ＨＴの最大値は、像面ＩＭにおける最大像高に相当する。
【００６３】
図９，図１１，図１３及び図１５は、第１フォーカスポジションＰＯＳ１での実施例１〜実施例４（ＥＸ１〜ＥＸ４）にそれぞれ対応する横収差図であり、図１０，図１２，図１４及び図１６は、第２フォーカスポジションＰＯＳ２での実施例１〜実施例４（ＥＸ１〜ＥＸ４）にそれぞれ対応する横収差図である。図９〜図１６のそれぞれにおいて、左側の列はタンジェンシャル光束での横収差（ｍｍ）を示しており、右側の列はサジタル光束での横収差（ｍｍ）を示している。また、ＲＥＬＡＴＩＶＥ  ＦＩＥＬＤ  ＨＥＩＧＨＴで表されている像高比（半画角ω°）での横収差を、一点鎖線で示すＣ線（波長６５６．２８ｎｍ）、実線で示すｄ線（波長５８７．５６ｎｍ）、破線で示すｇ線（波長４３５．８４ｎｍ）について示している。なお像高比は、像高ＩＭＧ  ＨＴを最大像高で規格化した相対的な像高である。
【００６４】
実施例１
単位：mm
面データ
i           ri        di        nd       νd
0(OB)        ∞
1        57.5871    6.919    1.72916    54.67
2       231.4781    0.571
3        53.3950    4.363    1.49700    81.61
4       122.2631    0.250
5        41.6878    6.971    1.59282    68.62
6      -369.3860    1.881    1.90366    31.32
7        47.1750       d7
8        74.7861    3.900    1.92286    20.88
9      -110.6105    1.200    1.80610    33.27
10       29.0325      d10
11(ST)        ∞      d11
12*      42.7555    3.935    1.59349    67.00
13*    -180.3484      d13
14     1166.0621    3.475    1.95375    32.32
15      -73.0638    1.500    1.71736    29.50
16       43.0227    8.400
17       70.3789   11.000    1.84850    43.79
18      -30.1875    1.792    1.57135    52.95
19            ∞    5.548
20      -42.5025    2.500    1.62004    36.30
21      532.2146   10.808
22            ∞    1.600    1.51680    64.20
23            ∞       bf
24(IM)        ∞
【００６５】
非球面データ
i             12             13
K              0              0
A4   -2.58331E-06   -8.91351E-07
A6   -2.74665E-09   -1.91080E-09
A8   -1.09073E-11   -8.22787E-12
A10    0.00000E+00    0.00000E+00
A12    0.00000E+00    0.00000E+00
【００６６】
各種データ
FL     83.00
FNO      1.85
2ω     29.53
TL    107.55
bf         2
可変パラメーター
物体距離           d7        d10       d11        d13
∞(POS1)        5.224     14.272     7.442      2.000
0.8m(POS2)        9.898      9.604     1.900      7.540
群移動量(POS1→POS2)
D2Gr      D3Gr  D2Gr/D3Gr
4.673    -5.542      -0.84
【００６７】
実施例２
単位：mm
面データ
i           ri        di        nd       νd
0(OB)        ∞
1        80.1734    6.282    1.71700    47.98
2     -4807.6515    1.586
3        41.9543    5.640    1.43700    95.10
4       117.0287    0.871
5        58.1172    6.203    1.49700    81.61
6      -241.7619    1.400    1.85026    32.35
7        65.5586       d7
8       138.8823    3.750    1.80809    22.76
9      -114.7710    1.200    1.62004    36.30
10       29.5637      d10
11(ST)        ∞      d11
12       41.8535    3.850    1.59349    67.00
13     -418.9839      d13
14     -361.4882    4.412    1.83481    42.72
15      -43.7311    1.200    1.67300    38.15
16       44.7491    4.944
17       56.2446   10.536    1.84850    42.72
18      -42.4152    1.403    1.56732    42.84
19     -224.6045    8.016
20      -36.2911    2.284    1.60342    80.11
21     -619.9962   11.575
22            ∞    1.600    1.51680    64.20
23            ∞       bf
24(IM)        ∞
【００６８】
各種データ
FL     83.00
FNO      1.85
2ω     29.24
TL    111.94
bf      0.92
可変パラメーター
物体距離           d7        d10       d11        d13
∞(POS1)        7.492     12.773    11.211      2.749
0.8m(POS2)       10.879      9.386     3.334     10.626
群移動量(POS1→POS2)
D2Gr      D3Gr  D2Gr/D3Gr
3.387    -7.877      -0.43
【００６９】
実施例３
単位：mm
面データ
i           ri        di        nd       νd
0(OB)        ∞
1       120.8140    4.940    1.77250    49.62
2     -1000.0000    0.250
3        42.0610    6.120    1.55032    75.50
4       127.2310    0.500
5        62.7420    6.560    1.49700    81.61
6      -165.7530    1.400    1.85025    30.05
7        82.2620       d7
8       438.0320    3.210    1.92286    20.88
9       -84.2650    1.130    1.60342    38.01
10       30.0600      d10
11(ST)        ∞      d11
12       54.7570    4.100    1.59349    67.00
13     -152.9580      d13
14            ∞    6.500    1.91082    35.25
15      -43.6900    2.020    1.67270    32.17
16       64.8690    4.900
17       70.5370    8.200    1.84850    43.79
18     -411.6880    4.500    1.60342    38.01
19      130.5830    8.121
20      -35.4045    1.400    1.64769    33.72
21      -69.4719   11.000
22            ∞    1.600    1.51680    64.20
23            ∞       bf
24(IM)        ∞
【００７０】
各種データ
FL     83.00
FNO      1.85
2ω     29.26
TL    111.35
bf      0.92
可変パラメーター
物体距離           d7        d10       d11        d13
∞(POS1)        6.182     13.284    11.915      2.059
0.8m(POS2)       10.020      9.445     5.153      8.821
群移動量(POS1→POS2)
D2Gr      D3Gr  D2Gr/D3Gr
3.838    -6.762      -0.57
【００７１】
実施例４
単位：mm
面データ
i           ri        di        nd       νd
0(OB)        ∞
1       114.0645    4.566    1.69680    55.46
2     -1003.2810    0.173
3        45.6817    4.904    1.49700    81.61
4       114.9128    0.538
5        50.9360    6.999    1.49700    81.61
6      -188.1267    1.493    1.90366    31.32
7        74.6061       d7
8        87.4333    4.870    1.92286    20.88
9       -95.8114    1.214    1.67270    32.17
10       29.0783      d10
11(ST)        ∞      d11
12       46.3133    4.541    1.55032    75.50
13     -201.8349      d13
14      630.0245    5.920    1.90366    31.32
15      -37.5067    1.206    1.72825    28.32
16       55.9782    4.459
17       63.6775    6.985    1.84850    42.72
18      -51.1824    1.457    1.62004    36.30
19      147.6730    7.598
20      -33.0806    1.416    1.51633    64.14
21     -255.0489   10.058
22            ∞    1.600    1.51680    64.20
23            ∞       bf
24(IM)        ∞
【００７２】
各種データ
FL     83.00
FNO      1.85
2ω     29.59
TL    111.96
bf      0.92
可変パラメーター
物体距離           d7        d10       d11        d13
∞(POS1)        6.939     10.871    20.176      1.988
0.8m(POS2)       11.581      6.228    12.123     10.040
群移動量(POS1→POS2)
D2Gr      D3Gr  D2Gr/D3Gr
4.643    -8.053      -0.58
【００７３】
【表１】
2020173366.tif 000003
【００７４】
【表２】
2020173366.tif 000004
【符号の説明】
【００７５】
ＤＵ    デジタル機器
ＬＵ    撮像光学装置
ＬＮ    撮像光学系
Ｇｒ１    第１レンズ群
Ｇｒ２    第２レンズ群
Ｇｒ３    第３レンズ群
Ｇｒ４    第４レンズ群
Ｌ１＃    第１レンズ群において物体側から＃番目のレンズ（＃＝１，２，３，４）
Ｌ２＃    第２レンズ群において物体側から＃番目のレンズ（＃＝１，２）
Ｌ３１    第３レンズ群を構成するレンズ
Ｌ４＃    第４レンズ群において物体側から＃番目のレンズ（＃＝１，２，…，５）
ＳＴ    絞り
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2020173366.tif 000005
【図２】
2020173366.tif 000006
【図３】
2020173366.tif 000007
【図４】
2020173366.tif 000008
【図５】
2020173366.tif 000009
【図６】
2020173366.tif 000010
【図７】
2020173366.tif 000011
【図８】
2020173366.tif 000012
【図９】
2020173366.tif 000013
【図１０】
2020173366.tif 000014
【図１１】
2020173366.tif 000015
【図１２】
2020173366.tif 000016
【図１３】
2020173366.tif 000017
【図１４】
2020173366.tif 000018
【図１５】
2020173366.tif 000019
【図１６】
2020173366.tif 000020
【図１７】
2020173366.tif 000021